(57)【特許請求の範囲】
【請求項１】
各フィールドにラインを補間することにより、インタレース画像をノンインタレース画像へ変換するフィールド補間方法であって、
補間すべきライン上の画素である補間画素の値を決定する工程が、
(a) 前記補間画素と同一フィールド内で、前記補間画素の上方に隣接するライン上で前記補間画素に最も近いＭ（≧１）個の画素の値にもとづく前記補間画素の値の候補である第１候補値と、前記補間画素の下方に隣接するライン上で前記補間画素に最も近いＭ個の画素の値にもとづく前記補間画素の値の候補である第２候補値と、を算出する工程と、
(b) 前記第１候補値と前記第２候補値との最大値を算出する工程と、
(c) 前記第１候補値と前記第２候補値との最小値を算出する工程と、
(d) 前記同一フィールドの前後に隣接する２フィールド内の前記補間画素に対応する位置での画素値の平均値を算出する工程と、
(e) 前記同一フィールド以前の範囲内で選ばれたＮ（≧１）個のフィールド内の前記補間画素に対応する位置での動き係数に依存し、これらの動き係数の各々が大きいほど小さくなるように、ゼロから画素値変動幅の絶対値までの範囲で変化する変数を算出する工程と、
(f) 前記最大値に前記変数を加算した値と、前記最小値に前記変数を減算した値と、前記平均値との、中間値を算出する工程と、
(g) 前記工程(f) で算出した前記中間値にもとづいて前記補間画素の値を決定する工程と、
を備えるフィールド補間方法。
【請求項２】
前記工程(a) が、前記Ｍを１として、
(a-1) 前記第１候補値として、前記補間画素の上方に最近接する画素の値を与える工程と、
(a-2) 前記第２候補値として、前記補間画素の下方に最近接する画素の値を与える工程と、を備える請求項１に記載のフィールド補間方法。
【請求項３】
前記工程(a) が、前記Ｍを３として、
(a-1) 前記補間画素の上方および下方に隣接する前記２ラインの上にあって、前記補間画素を中心として互いに対称の位置にある画素の組の中で、互いに最も値が近接する組の値を、前記第１および第２候補値として与える工程を、備える請求項１に記載のフィールド補間方法。
【請求項４】
前記工程(a) が、前記Ｍを３として、
(a-1) 前記補間画素の上方および下方に隣接する前記２ラインのそれぞれにおいて、前記Ｍ個の画素の間に位置する点の値を、当該Ｍ個の画素の値にもとづいて算出する工程と、
(a-2) 前記２ラインの上にあって、前記補間画素を中心として互いに対称の位置にある画素の組および点の組の中で、互いに最も値が近接する組の値を、前記第１および第２候補値として与える工程と、を備える請求項１に記載のフィールド補間方法。
【請求項５】
前記工程(e) が、
(e-1) 前記Ｎ個のフィールドの各々に対して、前記補間画素に対応する前記位置での前記動き係数を基準値と比較する工程と、
(e-2) 前記工程(e-1) の結果にもとづいて、すべての動き係数が前記基準値より低ければ前記変数を前記画素値変動幅の絶対値に設定し、すべての動き係数が前記基準値より高ければ前記変数をゼロに設定し、一部の動き係数のみが前記基準値より低いときには、前記基準値より低い動き係数が多いほど前記変数を高く設定する工程と、
を備える、請求項１ないし請求項４のいずれかに記載のフィールド補間方法。
【請求項６】
前記工程(e) が、
(e-3) 前記同一フィールド内の前記補間画素での動き係数を算出し記憶する工程と、
(e-4）記憶されている前記Ｎ個のフィールド内の前記補間画素に対応する前記位置での前記動き係数を得る工程と、
(e-5) 前記工程(e-4) で得られた前記動き係数にもとづいて、前記変数を算出する工程と、を備える、請求項１ないし請求項５のいずれかに記載のフィールド補間方法。
【請求項７】
前記工程(e) が、
(e-1) 前記同一フィールド内の前記補間画素での動き係数を算出する工程と、
(e-2) 前記動き係数を基準値と比較し、その結果を記憶する工程と、
(e-3) 記憶されている前記Ｎ個のフィールド内の前記補間画素に対応する前記位置での前記動き係数と前記基準値との比較結果にもとづいて、すべての動き係数が前記基準値より低ければ前記変数を前記画素値変動幅の絶対値に設定し、すべての動き係数が前記基準値より高ければ前記変数をゼロに設定し、一部の動き係数のみが前記基準値より低いときには、前記基準値より低い動き係数が多いほど前記変数を高く設定する工程と、を備える、請求項１ないし請求項４のいずれかに記載のフィールド補間方法。
【請求項８】
前記工程(g) が、
(g-1) 前記工程(f) で算出した前記中間値を、前記補間画素の値に決定する工程
を備える、請求項１ないし請求項７のいずれかに記載のフィールド補間方法。
【請求項９】
前記工程(g) が、
(g-1) フィールド間補間と、フィールド内補間と、動き適応型補間とのうちのいずれかによって前記補間画素の補間値を算出する工程と、
(g-2) 前記工程(g-1) で算出した前記補間値と、前記工程(f) で算出した前記中間値との混合値を算出し、当該混合値を前記補間画素の値に決定する工程と、
を備える、請求項１ないし請求項７のいずれかに記載のフィールド補間方法。
【発明の詳細な説明】
【０００１】
【発明の属する技術分野】
この発明は、インタレース画像をノンインタレース画像へ変換するフィールド補間方法に関し、特に、演算量を増加させることなく、誤検出および検出漏れを抑制するための改良に関する。
【０００２】
【従来の技術】
インタレース画像の各フィールドにおいてライン（走査線）を補間することにより、インタレース画像をノンインタレース画像へ変換する方法として、つぎの３種の方法(1)〜(3)が、従来より知られている。すなわち、
(1) 隣接するフィールドの画素を用いて補間する方法；
(2) 上方または下方に隣接する画素を用いて補間する方法；および、
(3) 上方および下方に隣接する画素の値の平均値を用いて補間する方法；である。
【０００３】
方法(1)は、フィールド間補間と称され、図４(a)に示すように、隣接するフィールドの画素を用いて補間が行われる。方法(2)および(3)は、フィールド内補間と称され、図４(b)に示すように、同一フィールド内で補間が行われる。図４(a)および(b)において、縦軸Ｖは、画面上の垂直方向（ラインに垂直な方向）を表し、符号(i-1),(i),(i+1)は、時間の流れに沿ってフィールドに付番された識別番号を表している。フィールド(i)が、補間対象とされるフィールドであり、フィールド(i-1)は、それよりも１つ前のフィールドに対応し、フィールド(i+1)は、１つ後のフィールドに対応する。また、図４(a)および(b)において、黒丸は、補間の対象とされる画素（補間画素）を表し、白丸は、補間前のインタレース画像に含まれる画素を表している。
【０００４】
フィールド間補間は静止画像に適し、他方のフィールド内補間は動画像に適している。すなわち、それぞれには、画像の動きに応じた適・不適がある。このため、良質なノンインタレース画像を得るために、画像の動き量を求めて、フィールド内補間とフィールド間補間を徐々に切り替える「動き適応型補間」という方法が採られている。この方法では、画像の動き量を表現する動き係数ｋ（０≦ｋ≦１）が算出され、フィールド内補間による値とフィールド間補間による値とに対して、動き係数ｋで重み平均した値が、補間画素の値として採用される。動き係数ｋは、画像の動きが全くない静止画像ではｋ＝０であり、動きの大きい動画像では、ｋ＝１である。
【０００５】
【発明が解決しようとする課題】
しかしながら、従来の動き適応型補間では、動画領域を静止画領域として検出してしまう検出漏れが、画質劣化の１つの原因となり、これを避けるために検出感度を高くすると、逆に、静止画領域を動画領域と検出してしまう誤検出が生じ、また、検出精度を高めるために演算量を増加させても、それに相応するだけの効果が得られないという問題点があった。
【０００６】
この発明は、従来の技術における上記した問題点を解消するためになされたもので、簡単な演算を通じて誤検出および検出漏れを減少させ、なおかつ画像の動きや輪郭に適応したフィールド補間を実現するフィールド補間方法を提供することを目的とする。
【０００７】
【課題を解決するための手段】
第１の発明の方法は、各フィールドにラインを補間することにより、インタレース画像をノンインタレース画像へ変換するフィールド補間方法であって、補間すべきライン上の画素である補間画素の値を決定する工程が、(a)前記補間画素と同一フィールド内で、前記補間画素の上方に隣接するライン上で前記補間画素に最も近いＭ（≧１）個の画素の値にもとづく前記補間画素の値の候補である第１候補値と、前記補間画素の下方に隣接するライン上で前記補間画素に最も近いＭ個の画素の値にもとづく前記補間画素の値の候補である第２候補値と、を算出する工程と、(b)前記第１候補値と前記第２候補値との最大値を算出する工程と、(c)前記第１候補値と前記第２候補値との最小値を算出する工程と、(d)前記同一フィールドの前後に隣接する２フィールド内の前記補間画素に対応する位置での画素値の平均値を算出する工程と、(e)前記同一フィールド以前の範囲内で選ばれたＮ（≧１）個のフィールド内の前記補間画素に対応する位置での動き係数に依存し、これらの動き係数の各々が大きいほど小さくなるように、ゼロから画素値変動幅の絶対値までの範囲で変化する変数を算出する工程と、(f)前記最大値に前記変数を加算した値と、前記最小値に前記変数を減算した値と、前記平均値との、中間値を算出する工程と、(g) 前記工程(f) で算出した前記中間値にもとづいて前記補間画素の値を決定する工程と、を備える。
【０００８】
第２の発明の方法では、第１の発明のフィールド補間方法において、前記工程(a)が、前記Ｍを１として、(a-1)前記第１候補値として、前記補間画素の上方に最近接する画素の値を与える工程と、(a-2)前記第２候補値として、前記補間画素の下方に最近接する画素の値を与える工程と、を備える。
【０００９】
第３の発明の方法では、第１の発明のフィールド補間方法において、前記工程(a)が、前記Ｍを３として、(a-1)前記補間画素の上方および下方に隣接する前記２ラインの上にあって、前記補間画素を中心として互いに対称の位置にある画素の組の中で、互いに最も値が近接する組の値を、前記第１および第２候補値として与える工程を、備える。
【００１０】
第４の発明の方法では、第１の発明のフィールド補間方法において、前記工程(a)が、前記Ｍを３として、(a-1)前記補間画素の上方および下方に隣接する前記２ラインのそれぞれにおいて、前記Ｍ個の画素の間に位置する点の値を、当該Ｍ個の画素の値にもとづいて算出する工程と、(a-2)前記２ラインの上にあって、前記補間画素を中心として互いに対称の位置にある画素の組および点の組の中で、互いに最も値が近接する組の値を、前記第１および第２候補値として与える工程と、を備える。
【００１１】
第５の発明の方法では、第１ないし第４のいずれかの発明のフィールド補間方法において、前記工程(e)が、(e-1)前記Ｎ個のフィールドの各々に対して、前記補間画素に対応する前記位置での前記動き係数を基準値と比較する工程と、(e-2)前記工程(e-1)の結果にもとづいて、すべての動き係数が前記基準値より低ければ前記変数を前記画素値変動幅の絶対値に設定し、すべての動き係数が前記基準値より高ければ前記変数をゼロに設定し、一部の動き係数のみが前記基準値より低いときには、前記基準値より低い動き係数が多いほど前記変数を高く設定する工程と、を備える。
【００１２】
第６の発明の方法では、第１ないし第５のいずれかの発明のフィールド補間方法において、前記工程(e)が、(e-3)前記同一フィールド内の前記補間画素での動き係数を算出し記憶する工程と、(e-4）記憶されている前記Ｎ個のフィールド内の前記補間画素に対応する前記位置での前記動き係数を得る工程と、(e-5)前記工程(e-4)で得られた前記動き係数にもとづいて、前記変数を算出する工程と、を備える。
【００１３】
第７の発明の方法では、第１ないし第４のいずれかの発明のフィールド補間方法において、前記工程(e)が、(e-1)前記同一フィールド内の前記補間画素での動き係数を算出する工程と、(e-2)前記動き係数を基準値と比較し、その結果を記憶する工程と、(e-3)記憶されている前記Ｎ個のフィールド内の前記補間画素に対応する前記位置での前記動き係数と前記基準値との比較結果にもとづいて、すべての動き係数が前記基準値より低ければ前記変数を前記画素値変動幅の絶対値に設定し、すべての動き係数が前記基準値より高ければ前記変数をゼロに設定し、一部の動き係数のみが前記基準値より低いときには、前記基準値より低い動き係数が多いほど前記変数を高く設定する工程と、を備える。
第８の発明の方法では、第１ないし第７のいずれかの発明のフィールド補間方法において、前記工程(g) が、(g-1) 前記工程(f) で算出した前記中間値を、前記補間画素の値に決定する工程を備える。
第９の発明の方法では、第１ないし第７のいずれかの発明のフィールド補間方法において、前記工程(g) が、(g-1) フィールド間補間と、フィールド内補間と、動き適応型補間とのうちのいずれかによって前記補間画素の補間値を算出する工程と、(g-2) 前記工程(g-1) で算出した前記補間値と、前記工程(f) で算出した前記中間値との混合値を算出し、当該混合値を前記補間画素の値に決定する工程と、を備える。
【００１４】
【発明の実施の形態】
図１は、本発明の実施の形態によるフィールド補間方法の処理手順を示すフローチャートである。また、図２および図３は、図１の手順に沿った処理の原理を示す説明図である。これらの図において、符号Ｖ、および符号(i-1),(i),(i+1)の意味は、図４(a)(b)の同一符号の意味と同一である。符号Ｈは画面上の水平方向（ラインに平行な方向）を表している。
【００１５】
また、符号Ｐは補間画素を表し、符号Ａ，Ｂ，Ｃは、補間画素Ｐが属するフィールド(i)内で、補間画素Ｐの上方に隣接するライン上で補間画素Ｐに最も近い３個の画素を表し、符号Ａ’，Ｂ’，Ｃ’は、フィールド(i)内で、補間画素Ｐの下方に隣接するライン上で補間画素Ｐに最も近い３個の画素を表している。画素ＡとＡ’とは、補間画素Ｐを中心として互いに対称の位置にある。同様に、画素ＢとＢ’、および画素ＣとＣ’は、互いに対称の位置にある。画素ＢとＢ’は、補間画素Ｐに垂直方向に隣接する。
【００１６】
さらに、符号Ｘは、フィールド(i)の前に隣接するフィールド(i-1)内の補間画素Ｐに対応した位置の画素を表し、符号Ｙは、フィールド(i)の後に隣接するフィールド(i+1)内の補間画素Ｐに対応した位置の画素を表している。また、図３において、水平に延びる平行な帯は、補間前から各フィールド内に存在するライン（走査線）を表している。
【００１７】
カラー画像においては、演算の対象とされる画素値としては、好ましくは、Ｙ成分（輝度成分）が選ばれるが、他の成分を用いることも可能であり、また、三成分のそれぞれについて、個別に同様の演算を行うことも可能である。なお、以下では、説明を簡潔なものとするために、画素とその値（画素値）とを、同一の符号で表す。
【００１８】
図１は、一つの補間画素Ｐに対する処理の手順を示しており、図１の処理が、補間画素Ｐごとに反復される。一つの補間画素Ｐに対する処理が開始されると、画素Ａ，Ｂ，Ｃの値にもとづく補間画素Ｐの値の候補としての値Ｄと、画素Ａ’，Ｂ’，Ｃ’の値にもとづく補間画素Ｐの値の候補としての値Ｄ’とが、算出される（ステップＳ１）。
【００１９】
候補値ＤおよびＤ’を定めるには、補間画素Ｐを中心として対称の位置にある画素の組（Ａ，Ａ’），（Ｂ，Ｂ’），（Ｃ，Ｃ’）の中で、互いに最も値が近接する組を、候補値の組（Ｄ，Ｄ’）とすればよい。このことは、画像の輪郭の方向に沿うように候補値の組（Ｄ，Ｄ’）を設定することを意味する。例えば、輪郭の方向が右上から左下へ斜めに延びているときには、画素ＣとＣ’の値が最も近接するので、候補値の組（Ｄ，Ｄ’）＝（Ｃ，Ｃ’）と定められる。
【００２０】
あるいは、補間画素Ｐの上下に隣接する２ライン上で、画素の組（Ａ，Ａ’），（Ｂ，Ｂ’），（Ｃ，Ｃ’）の間に位置する点の値を、加重平均を用いて算出し、３組の画素の組に、それらの点の組をも加えて、それらの組の中で互いに最も値が近接する組を、候補値の組（Ｄ，Ｄ’）としてもよい。
【００２１】
すなわち、画素の組（Ａ，Ａ’）と（Ｂ，Ｂ’）の間を埋める点の組として、値（ｒＡ−｛１−ｒ｝Ｂ，ｒＡ’−｛１−ｒ｝Ｂ’）を持つ組を演算の上で補充し、画素の組（Ｃ，Ｃ’）と（Ｂ，Ｂ’）の間を埋める点の組として、値（ｒＣ−｛１−ｒ｝Ｂ，ｒＣ’−｛１−ｒ｝Ｃ’）を持つ組を補充することができる。ここで、ｒは０≦ｒ≦１の範囲の実数である。ｒ＝０または１であれば、これらの点の組は、３組の画素の組のいずれかに一致する。例えば、ｒの値としてｒ＝0.5を与えると、画素と点を含めた５組の中から、候補値の組（Ｄ，Ｄ’）を選択することができる。それにより、より本来の補間画素Ｐの値に近い候補値の組（Ｄ，Ｄ’）を決定することができる。
【００２２】
ｒを変数として扱い、０≦ｒ≦１の範囲のすべてのｒに対応するすべての点の組の中で、互いに最も値が近接する組を、候補値の組（Ｄ，Ｄ’）としてもよい。それにより、さらに本来の補間画素Ｐの値に近い候補値の組（Ｄ，Ｄ’）を決定することができる。
【００２３】
逆に、もっとも簡素な方法として、画素の組（Ａ，Ａ’），（Ｂ，Ｂ’），（Ｃ，Ｃ’）の中で、補間画素Ｐの上下に隣接する（Ａ，Ａ’）のみを考慮し、候補値の組を、つねに（Ｄ，Ｄ’）＝（Ａ，Ａ’）と定めることも可能である。この場合には、画像の輪郭の方向については考慮されない。
【００２４】
候補値の組（Ｄ，Ｄ’）が定められると、それらの最大値Ｇ＝ｍａｘ（Ｄ，Ｄ’）および最小値Ｌ＝ｍｉｎ（Ｄ，Ｄ’）が算出される。また、隣接フィールドの画素Ｘ，Ｙの値の平均値Ｚ＝（Ｘ＋Ｙ）／２が算出される（ステップＳ２）。
【００２５】
さらに、ステップＳ１，２と並行して、補間画素Ｐでの動き係数ｋ（０≦ｋ≦１）が算出される（ステップＳ３）。動き係数ｋの算出自体は、従来周知であるので、詳細な説明は略する。
【００２６】
つぎに、ステップＳ３で新たに算出された動き係数ｋと、フィールド(i)より前のフィールドの補間画素Ｐに対応する位置に関して、すでに算出されている動き係数ｋとを得て、動き係数ｋの履歴に依存する変数ｓが算出される（ステップＳ４）。それには、例えば、新たに算出した動き係数ｋを、何らかの記憶媒体に記憶しておき、記憶媒体から過去のフィールドに関する動き係数ｋを読み出すと良い。記憶するのは、動き係数ｋそのものでもよいし、動き係数ｋと基準値Ｔとの大小関係のみを記憶してもよい。変数ｓは履歴の中での動き係数ｋの各々の値が大きいほど小さくなるように、ゼロから画素値変動幅の絶対値までの範囲で変化するように算出される。算出の例については、後述する。
【００２７】
ステップＳ２およびＳ４の双方が終了すると、最大値Ｇに変数ｓを加算したＧ＋ｓ、最小値Ｌに変数ｓを減算したＬ−ｓ、および平均値Ｚの中間値が算出される（ステップＳ５）。つぎに、算出された中間値を補間画素Ｐの値と定めることにより、画素Ｐの補間が行われる（ステップＳ６）。ステップＳ６では、中間値を直接に用いる代わりに、従来の方法で算出された補間値との混合値を、補間画素Ｐの値として採用しても良い。混合値として、例えば、加重平均値を用いることができる。ステップＳ６の処理が終了すると、補間画素Ｐに対する補間が完了する。
【００２８】
つぎに、変数ｓを定める演算（ステップＳ４）について詳述する。一例として、ステップＳ４において、３個の連続するフィールド(i-2),(i-1),(i)内の補間画素Ｐに対応する位置での動き係数ｋ(i-2),ｋ(i-1),ｋ(i)が得られるものとする。これらの動き係数ｋは、まず、基準値Ｔと比較される。基準値Ｔは、０＜Ｔ＜１の範囲であらかじめ設定された定数であり、例えば０に近い１／４である。
【００２９】
比較の結果、ｋ(i-2)＜Ｔ、ｋ(i-1)＜Ｔ、およびｋ(i)＜Ｔであれば、変数ｓは、ｓ＝（画素値変動幅の絶対値）に設定される。それにより、最大値Ｇ＞最大画素値、最小値Ｌ＜最小画素値、となるので、ステップＳ５で算出される中間値は、median()＝Ｚとなる。この中間値を補間画素Ｐの値に採用することは、補間画素Ｐに対して用いてフィールド間補間を実行することを意味する。すなわち、一定範囲の履歴において、画像が静止画像ないしそれに近い場合には、フィールド間補間が選択される。
【００３０】
比較の結果、ｋ(i-2)≧Ｔ、ｋ(i-1)≧Ｔ、およびｋ(i)≧Ｔであれば、変数ｓは、ｓ＝０に設定される。それにより、ステップＳ５で算出される中間値は、median()＝median（Ｇ，Ｌ，Ｚ）となる。この中間値を補間画素Ｐの値に採用するならば、Ｇ以下かつＬ以上の値で補間が行われるので、検出漏れによるノイズの発生を抑えることができる。
【００３１】
比較の結果、ｋ(i-2)、ｋ(i-1)、およびｋ(i)の中の一部のみが基準値Ｔより低い場合には、変数ｓは、０＜ｓ＜（画素値変動幅の絶対値）の範囲で、基準値Ｔより低い動き係数が多いほど高くなるように設定される。
【００３２】
なお、以上の説明では、動き係数ｋの履歴として、３フィールドにわたる履歴が考慮される例を示したが、それ以上、あるいは、それ以下のフィールドにわたる履歴が考慮されても良い。例えば、補間画素Ｐが属するフィールド(i)の動き係数ｋ(i)のみを考慮することも可能である。この場合には、ｋ(i)＜Ｔであれば、ｓ＝（画素値変動幅の絶対値）に設定され、ｋ(i)≧Ｔであれば、ｓ＝０に設定される。
【００３３】
また、フィールド(i)より前のフィールドの動き係数のみ、例えば動き係数ｋ(i-2)とｋ(i-1)の履歴のみを考慮して変数ｓを定めることも可能である。すなわち一般には、フィールド(i)以前の範囲内で選ばれたＮ（≧１）個のフィールドの動き係数の履歴にもとづいて、変数ｓを定めることが可能である。Ｎ≧２であるとき、Ｎ個のフィールドは連続していることが望ましいが、連続しない形態を採ることも可能である。
【００３４】
さらに、図１では、ステップＳ３，Ｓ４は、ステップＳ１，Ｓ２と並行して実行される効率の高い手順を例示したが、互いに前後して実行することも可能である。
【００３５】
【発明の効果】
第１の発明の方法では、動き係数の履歴にもとづいて、ゼロから画素値変動幅の絶対値までの範囲で変化する変数が算出され、最大値に変数を加算した値と、最小値に変数を減算した値と、平均値との中間値が算出されるので、画像の動きに適応したフィールド補間が、誤検出および検出漏れを減少させつつ、しかも中間値を算出するという単一の演算を通じて、実現する。
【００３６】
第２の発明の方法では、第１および第２候補値として、補間画素の上方および下方に最近接する画素の値が与えられるので、演算がさらに簡素化される。
【００３７】
第３の発明の方法では、第１および第２候補値として、３組の最近接画素の値から選択されるので、画像の輪郭線の方向に応じた適切な候補値が選択される。
【００３８】
第４の発明の方法では、３組の最近接画素の値だけでなく、それらにもとづいて補充された値をも加えて、それら全体の中から第１および第２候補値が選択されるので、より適切な候補値が得られる。
【００３９】
第５の発明の方法では、動き係数が基準値と比較され、その結果にもとづいて、変数が定められるので、変数の算出に要する演算が簡素化される。
【００４０】
第６の発明の方法では、同一フィールド内の補間画素での動き係数が算出された後に記憶され、変数の算出に必要なＮ個の動き係数として、すでに算出され記憶された値が利用されるので、演算の効率が向上する。
【００４１】
第７の発明の方法では、動き係数が基準値と比較され、その結果にもとづいて、変数が定められるので、変数の算出に要する演算が簡素化される。しかも、同一フィールド内の補間画素での動き係数が算出され基準値と比較された後に、その結果が記憶され、変数の算出に必要なＮ個の比較結果として、すでに記憶された結果が利用されるので、記憶媒体等を用いたときにその記憶容量を節減することができる。また、演算の効率もさらに向上する。
【図面の簡単な説明】
【図１】実施の形態の方法の処理手順を示すフローチャートである。
【図２】図１に沿った処理の原理を示す説明図である。
【図３】図１に沿った処理の原理を示す説明図である。
【図４】従来の方法の原理を示す説明図である。
【符号の説明】
Ａ，Ｂ，Ｃ  最近接画素
Ａ’，Ｂ’，Ｃ’  最近接画素
Ｄ  第１候補値
Ｄ’  第２候補値
Ｇ  最大値
ｋ  動き係数
Ｌ  最小値
Ｐ  補間画素
ｓ  変数
Ｔ  基準値
Ｘ，Ｙ  画素
Ｚ  平均値
【図１】
0004412435.tif 000002
【図２】
0004412435.tif 000003
【図３】
0004412435.tif 000004
【図４】
0004412435.tif 000005